(57)【要約】      （修正有）【課題】均質な粉末の状態で設定量を搬送、供給することができるコンベヤ装置の提供。【解決手段】スクリュー搬送式のコンベヤ１を軸方向に中空部を有するコイルスプリング状に形成し、該コンベヤ１をハウジング３内に１本以上複数本並列して備えると共に、適宜の原動力でその全部若しくは個々の回転速度調節自在に回転駆動するように備えたものであり、上記コンベヤ１の基部付近の上方に、コンベヤへ粉体を落下供給するホッパー５を備えると共に、先端部付近の下方に搬送してきた粉体を外部へ排出する排出口６を備えた。【選択図】図１
2006213449.tif 000002
【特許請求の範囲】
【請求項１】
スクリュー搬送式のコンベヤを軸方向に中空部を有するコイルスプリング状に形成し、該コンベヤをハウジング内に１本以上複数本並列して備えると共に、適宜の原動力でその全部若しくは個々の回転速度調節自在に回転駆動するように備えたものであり、
上記コンベヤの基部付近の上方に、コンベヤへ粉体を落下供給するホッパーを備えると共に、先端部付近の下方に搬送してきた粉体を外部へ排出する排出口を備えたものであって、
ホッパーから供給された粉体の内、粉状、粒状若しくは小さな塊状のものはコンベヤのコイル間を通り抜けて中空部内若しくはハウジングの底面に到達し、団塊状のものはコイル上に引っ掛った後、コンベヤの回転で粉状、粒状若しくは小さな塊状になり同じくコイル間を通り抜けて中空部内若しくはハウジングの底面に到達し、コンベヤで搬送する過程で中空部内のものを攪拌すると共に、コンベヤの回転力と粉体の摩擦抵抗力等によってコンベヤのコイルに発生する振動、伸縮動によって粉体を解きほぐして粉状化を促進しつつ搬送して、塊りや内部空洞の無い均質な粉状として排出口から外部へ排出するように備えたことを特徴とする、
粉体の粉状化搬送及び均質粉状排出を行うコンベヤ装置。
【請求項２】
軸方向に中空部を有するコイルスプリング状に形成したコンベヤの一方端を適宜の原動力に連結して回転駆動するように備えると共に、他方端を遊転、振動、伸縮自在なフリー状態に支持して備えたものである、
請求項１記載の粉体の粉状化搬送及び均質粉状排出を行うコンベヤ装置。
【請求項３】
粉体を投入するポッパーの投入口を、粉体をハウジング内に１本以上複数本並列して備えたコンベヤの広範囲上に、開口面積を広く設定して備えたものである、
請求項１記載の粉体の粉状化搬送及び均質粉状排出を行うコンベヤ装置。
【発明の詳細な説明】
【技術分野】
【０００１】
中空部を有するコイルスプリング状のコンベヤをハウジング内に１本以上複数本並列し、その全部若しくは個々の回転速度調節自在に回転駆動するように備えた、粉状化搬送及び均質粉状排出を行うコンベヤ装置であり、
粉体を塊りや内部空洞の無い均質な粉状として搬送供給できるようにし、もって、各種の粉体の間欠的または連続的な正確な搬送供給とそれにより可能となる精密な計量、配合等を行い得るようにしたことを特徴とする、粉体の粉状化搬送及び均質粉状排出を行うコンベヤ装置に係るものである。
【背景技術】
【０００２】
従来、例えば、農業林業等用機械器具、農地や汚染地盤等の地盤改良装置などにおいて、各種の粉末状の薬品、薬剤、土壌、農産物等の粉末などを、均質な粉の状態で設定量宛を間欠的若しくは連続的に搬送、供給することを必要とする場合が多々あるが(例、定量配合、定量散布、定量充填、定量包装など)、
通常、粉体は液体と異なり、堆積すると自重で圧縮され、簡単に相互に圧着して、粒状化、団塊化、固形化し、それらが積重なると相互間に空間、空洞を形成するため、設定容積の密度が一定せず、よって、均質な粉末の状態で設定量を搬送、供給することは極めて困難であった。
【０００３】
例えば、従来のスクリューコンベヤで粉体を搬送すると、スクリューが粉体を銜え（くわえ）込むと共に搬送力で粉体を圧縮するため、搬送の過程で粉体が粒状化、団塊化、固形化し、或いは相互間に空間、空洞を形成した状態で搬送し、その状態で排出供給するため、均質な粉末の状態で設定量宛を間欠的若しくは連続的に搬送、供給することが著しく困難な課題があった。
【発明の開示】
【発明が解決しようとする課題】
【０００４】
そこで、本発明は、本発明独自の、中空部を有するコイルスプリング状のコンベヤを使用して、粉体を攪拌、振動によってほぐし粉状化を促進しながら搬送することによって、粉体のくわえ込み圧縮による粒状化、団塊化、固形化を無くし、もって、粉体を塊りや内部空洞の無い均質な粉末の状態として搬送供給できるようにして、従来の課題を解決したものである。
【課題を解決するための手段】
【０００５】
本発明は、スクリュー搬送式のコンベヤを軸方向に中空部を有するコイルスプリング状に形成し、該コンベヤをハウジング内に１本以上複数本並列して備えると共に、適宜の原動力でその全部若しくは個々の回転速度調節自在に回転駆動するように備えたものであり、
【０００６】
上記コンベヤの基部付近の上方に、コンベヤへ粉体を落下供給するホッパーを備えると共に、先端部付近の下方に搬送してきた粉体を外部へ排出する排出口を備えたものであって、
【０００７】
ホッパーから供給された粉体の内、粉状、粒状若しくは小さな塊状のものはコンベヤのコイル間を通り抜けて中空部内若しくはハウジングの底面に到達し、団塊状のものはコイル上に引っ掛った後、コンベヤの回転で粉状、粒状若しくは小さな塊状になり同じくコイル間を通り抜けて中空部内若しくはハウジングの底面に到達し、コンベヤで搬送する過程で中空部内のものを攪拌すると共に、コンベヤの回転力と粉体の摩擦抵抗力等によってコンベヤのコイルに発生する振動、伸縮動によって粉体を解きほぐして粉状化を促進しつつ搬送して、塊りや内部空洞の無い均質な粉状として排出口から外部へ排出するように備えたことを特徴とする、粉体の粉状化搬送及び均質粉状排出を行うコンベヤ装置によって、課題を解決したものである。
【発明の効果】
【０００８】
本発明は、ホッパーから供給された粉状、粒状若しくは小さな塊状のものはコンベヤのコイル間を通り抜けて中空部２内若しくはハウジングの底面に到達し、団塊状のものはコイル上に引っ掛った後、コンベヤの回転で粉状、粒状若しくは小さな塊状になり同じくコイル間を通り抜けて中空部内若しくはハウジングの底面に到達して、ホッパーから供給された粉体を全て効率的にコンベヤに取り込んで搬送処理できる。
【０００９】
そして、回転するコイルと中空部による内部粉体の攪拌と、回転駆動力と粉体の摩擦抵抗等で発生するコイルの振動、伸縮作用が相乗して粉体を効果的に解きほぐしながら、圧縮することなしに搬送、排出することができ、よって、従来のように粉体が圧縮により固形化、団塊化、団子化、空洞形成することを防止して、各種の粉体の均質な粉の状態での間欠的または連続的な正確な供給とそれにより可能となる精密な計量、配合等を可能とする画期的な効果がある。
【発明を実施するための最良の形態】
【００１０】
スクリュー搬送式のコンベヤ１を軸方向に中空部２を有するコイルスプリング状に形成し、該コンベヤ１をハウジング３内に１本以上複数本並列して設置して、適宜の原動力でその全部若しくは個々の回転速度調節自在に回転駆動するようにし、コンベヤ１の基部付近の上方にホッパー５を設置し、また、先端部付近の下方に排出口６を設置した、粉体の粉状化搬送及び均質粉状排出を行うコンベヤ装置Ａ。
【実施例】
【００１１】
図１は本発明実施例装置の構成概略を示す縦断正面図、図２は図１の一部切断平面図である。
以下、図面により、本発明の実施例を説明する。
【００１２】
本発明は、スクリュー搬送式のコンベヤ１を軸方向に中空部２を有するコイルスプリング状に形成し、該コンベヤ１をハウジング３内に１本以上複数本並列して備えると共に、適宜の原動力(回転軸４)でその全部若しくは個々の回転速度調節自在に回転駆動するように備えたものであり、
【００１３】
上記コンベヤ１の基部付近の上方に、コンベヤ１へ粉体を落下供給するホッパー５を備えると共に、先端部付近の下方に搬送してきた粉体を外部へ排出する排出口６を備えたものであって、
【００１４】
ホッパー５から供給された粉体の内、粉状、粒状若しくは小さな塊状のものはコンベヤ１のコイル７間を通り抜けて中空部２内若しくはハウジング３の底面に到達し、団塊状のものはコイル７上に引っ掛った後、コンベヤ１の回転で粉状、粒状若しくは小さな塊状になり同じくコイル７間を通り抜けて中空部２内若しくはハウジング３の底面に到達し、コンベヤ１で搬送する過程で中空部２内のものを攪拌すると共に、コンベヤ１の回転力と粉体の摩擦抵抗力等によってコンベヤ１のコイル７に発生する振動、伸縮動によって粉体を解きほぐして粉状化を促進しつつ搬送して、塊りや内部空洞の無い均質な粉状として排出口６から外部へ排出するように備えた、粉体の粉状化搬送及び均質粉状排出を行うコンベヤ装置Ａである。
【００１５】
上記において、コンベヤ１は、例えば、図示のように、各コンベヤ１の基部を適宜の回転軸４に連結して回転駆動するように備えると共に、先端を固定軸８に、遊転、振動、伸縮自在なフリー状態に遊嵌支持して備えたものである。
【００１６】
なお、粉体を投入するポッパー５の投入口９は、開口面積を広く設定し、それにより、粉体がポッパー５内で積み重なって、自重で圧縮して固形化、団塊化、団子化し、或いは空洞を形成することを防止して、ハウジング３内のコンベヤ１の広範囲なコイル７上に万遍なく投入できるように備える。
【産業上の利用可能性】
【００１７】
本発明は、主として、農業林業用等機械器具、農地や汚染地盤等の地盤改良装置などにおいて、各種の粉末状の薬品、薬剤、土壌、農産物等の粉末などを、均質な粉の状態で設定量宛を間欠的若しくは連続的に搬送、供給することを必要とする場合の、定量配合、定量散布、定量充填、定量包装などのための、粉体の粉状化搬送及び均質粉状排出を行うコンベヤ装置として用いるが、これらの用途に限定されず、種々の粉体を均質な粉末の状態で設定量宛を間欠的若しくは連続的に搬送、供給する目的に、汎用できるものであり、当然、それらの場合も本発明の技術的構成範囲に含まれるものである。
【図面の簡単な説明】
【００１８】
【図１】本発明実施例装置の構成概略を示す縦断正面図である。
【図２】図１の一部切断平面図である。
【符号の説明】
【００１９】
Ａ    本発明実施例装置
１    コンベヤ
２    中空部
３    ハウジング
４    回転軸
５    ホッパー
６    排出口
７    コイル
８    固定軸
９    投入口
【図１】
2006213449.tif 000003
【図２】
2006213449.tif 000004
【手続補正書】
【提出日】平成17年6月17日(2005.6.17)
【手続補正１】
【補正対象書類名】図面
【補正対象項目名】図１
【補正方法】変更
【補正の内容】
【図１】
2006213449.tif 000005
【手続補正２】
【補正対象書類名】図面
【補正対象項目名】図２
【補正方法】変更
【補正の内容】
【図２】
2006213449.tif 000006